(57)【要約】【課題】  遊技媒体を貸し出す際に発行されるカードが台間機に装填されていないことを他の事由とは区別して確実に遊技店の従業員に知らせるようにする。【解決手段】  貨幣を受け入れ、遊技機２で使用する遊技媒体Ｚを貸し出す為の有価価値を関連付けた一般カードＸを発行すると共に、その一般カードＸを受け付け、該受け付けた一般カードＸに関連付けられた有価価値に基づき遊技媒体Ｚの貸し出し処理を行い、発行する一般カードＸが予め機器内に装填される台間機１を具えた遊技媒体貸出システムにおいて、台間機１は、一般カードＸが機器内に装填されておらず、該一般カードＸの発行ができない発行不可能状態が発生したことを検知すると、発行不可能状態が発生したことを遊技店の従業員に通知する為に台間機１から外部の機器（台ランプ部３およびパトライト４）に所定の信号を出力する外部出力機構を具える。【選択図】  図１
2005065788.tif 000002
【特許請求の範囲】
【請求項１】
貨幣を受け入れ、遊技機で使用する遊技媒体を貸し出す為の有価価値を関連付けた遊技媒体貸出用記憶媒体を発行する機能と、前記遊技媒体貸出用記憶媒体を受け付け、該受け付けた遊技媒体貸出用記憶媒体に関連付けられた有価価値に基づき前記遊技媒体の貸し出し処理を行う機能を有し、前記有価価値が関連付けられていない発行用の遊技媒体貸出用記憶媒体が予め機器内に装填される遊技媒体貸出処理機における遊技媒体貸出用記憶媒体の発行不可状態通知方法において、
前記遊技媒体貸出用記憶媒体が機器内に装填されておらず、該遊技媒体貸出用記憶媒体の発行ができない発行不可能状態を検知した場合、該発行不可能状態が発生したことを遊技店の従業員に通知する為に前記遊技媒体貸出処理機から外部の機器に所定の信号を出力するようにしたことを特徴とする遊技媒体貸出用記憶媒体の発行不可状態通知方法。
【請求項２】
前記所定の信号は、
遊技媒体貸出処理機を特定可能な識別情報と共に、前記遊技店内に設置される処理端末に対して出力され、
前記処理端末は、
前記所定の信号を受信すると、前記識別情報に基づき所定の遊技媒体貸出処理機で遊技媒体貸出用記憶媒体の発行ができない状態が発生したことを遊技店の従業員に通知する通知処理を行うことを特徴とする請求項１記載の遊技媒体貸出用記憶媒体の発行不可状態通知方法。
【請求項３】
前記通知処理は、
所定の遊技媒体貸出処理機で遊技媒体貸出用記憶媒体の発行ができない状態が発生したことを表示部に表示する処理であることを特徴とする請求項２記載の遊技媒体貸出用記憶媒体の発行不可状態通知方法。
【請求項４】
前記通知処理は、
所定の遊技媒体貸出処理機で遊技媒体貸出用記憶媒体の発行ができない状態が発生したことを自動的に音声にて遊技店の従業員に通知する店内放送処理であることを特徴とする請求項２記載の遊技媒体貸出用記憶媒体の発行不可状態通知方法。
【請求項５】
前記通知処理は、
所定の遊技媒体貸出処理機で遊技媒体貸出用記憶媒体の発行ができない状態が発生したことを自動的に音声にて遊技店の従業員が装着しているヘッドホンに通知する無線通知処理であることを特徴とする請求項２記載の遊技媒体貸出用記憶媒体の発行不可状態通知方法。
【請求項６】
前記所定の信号は、
前記遊技機が複数設置される遊技島の島端或いは島端付近に設置される状態通知手段に対して出力され、
前記状態通知手段は、
前記所定の信号を受信すると、前記遊技媒体貸出処理機で遊技媒体貸出用記憶媒体の発行ができない状態が発生したことを通知する通知パターンで通知を行うことを特徴とする請求項１記載の遊技媒体貸出用記憶媒体の発行不可状態通知方法。
【請求項７】
前記所定の信号は、
前記遊技機の上方部に設置される状態通知手段に対して出力され、
前記状態通知手段は、
前記所定の信号を受信すると、前記遊技媒体貸出処理機で遊技媒体貸出用記憶媒体の発行ができない状態が発生したことを通知する通知パターンで通知を行うことを特徴とする請求項１記載の遊技媒体貸出用記憶媒体の発行不可状態通知方法。
【請求項８】
前記所定の信号は、
前記遊技機が複数設置される遊技島の島端或いは島端付近に設置される島状態通知手段に対して出力されると共に、前記遊技機の上方部に設置される遊技機状態通知手段に対しても出力され、
前記島状態通知手段が、前記所定の信号を受信すると、自島の前記遊技媒体貸出処理機で遊技媒体貸出用記憶媒体の発行ができない状態が発生したことを通知する通知パターンで通知を行い、前記遊技機状態通知手段が、前記所定の信号を受信すると、自己に関連付けられた遊技機に対応する前記遊技媒体貸出処理機で遊技媒体貸出用記憶媒体の発行ができない状態が発生したことを通知する通知パターンで通知を行うことを特徴とする請求項１記載の遊技媒体貸出用記憶媒体の発行不可状態通知方法。
【請求項９】
前記遊技媒体貸出処理機は、
前記遊技店内で使用される会員用記憶媒体に関連付けられた遊技媒体貯蓄情報に基づき前記遊技媒体の貸し出し処理を行う再プレイ機能を更に有し、
前記遊技媒体貸出用記憶媒体或いは前記会員用記憶媒体に記憶された情報を処理する記憶媒体処理手段が、前記遊技媒体貸出用記憶媒体及び前記会員用記憶媒体のいずれも機器内に装填されておらず、該遊技媒体貸出用記憶媒体の発行ができない発行不可能状態を検知した場合に、前記外部の機器に所定の信号を出力することを特徴とする請求項１記載の遊技媒体貸出用記憶媒体の発行不可状態通知方法。
【請求項１０】
前記遊技媒体貸出処理機は、
前記遊技店内で使用される会員用記憶媒体に関連付けられた遊技媒体貯蓄情報に基づき前記遊技媒体の貸し出し処理を行う再プレイ機能を更に有し、
前記遊技媒体貸出用記憶媒体或いは前記会員用記憶媒体を受け付けている場合にそれぞれの受付中を示す状態通知を行う状態通知制御部より、両方の記憶媒体が受付けられていない状態通知を行っている場合に前記発行不可能状態が発生したものと判断し、前記外部の機器に所定の信号を出力することを特徴とする請求項１記載の遊技媒体貸出用記憶媒体の発行不可状態通知方法。
【請求項１１】
前記所定の信号の出力タイミングは、
前記発行不可能状態が所定時間続いた場合に行うことを特徴とする請求項９または１０記載の遊技媒体貸出用記憶媒体の発行不可状態通知方法。
【請求項１２】
貨幣を受け入れ、遊技機で使用する遊技媒体を貸し出す為の有価価値を関連付けた遊技媒体貸出用記憶媒体を発行する機能と、前記遊技媒体貸出用記憶媒体を受け付け、該受け付けた遊技媒体貸出用記憶媒体に関連付けられた有価価値に基づき前記遊技媒体の貸し出し処理を行う機能を有し、前記有価価値が関連付けられていない発行用の遊技媒体貸出用記憶媒体が予め機器内に装填される遊技媒体貸出処理機において、
前記遊技媒体貸出用記憶媒体が機器内に装填されておらず、該遊技媒体貸出用記憶媒体の発行ができない発行不可能状態が発生したことを検知する検知手段と、
前記検知手段により発行不可能状態が検知された場合、該発行不可能状態が発生したことを遊技店の従業員に通知する為に前記遊技媒体貸出処理機から外部の機器に所定の信号を出力する外部出力手段と
を具備することを特徴とする遊技媒体貸出処理機。
【請求項１３】
前記外部出力手段は、
前記所定の信号を当該発行不可能状態が発生した遊技媒体貸出処理機を特定可能な識別情報と共に、前記遊技店内に設置される処理端末に対して出力し、
前記処理端末は、前記所定の信号を受信すると、前記識別情報に基づき所定の遊技媒体貸出処理機で遊技媒体貸出用記憶媒体の発行ができない状態が発生したことを遊技店の従業員に通知する通知処理を行うことを特徴とする請求項１２記載の遊技媒体貸出処理機。
【請求項１４】
前記遊技媒体貸出処理機は、
前記遊技店内で使用される会員用記憶媒体に関連付けられた遊技媒体貯蓄情報に基づき前記遊技媒体の貸し出し処理を行う再プレイ機能を更に有し、
前記遊技媒体貸出用記憶媒体或いは前記会員用記憶媒体に記憶された情報を処理する記憶媒体処理部が、該記憶媒体処理部が前記遊技媒体貸出用記憶媒体及び前記会員用記憶媒体のいずれも機器内に装填されておらず、該遊技媒体貸出用記憶媒体の発行ができない発行不可能状態を検知した場合に、前記外部の機器に所定の信号を出力することを特徴とする請求項１２記載の遊技媒体貸出処理機。
【請求項１５】
前記遊技媒体貸出処理機は、
前記遊技店内で使用される会員用記憶媒体に関連付けられた遊技媒体貯蓄情報に基づき前記遊技媒体の貸し出し処理を行う再プレイ機能を更に有し、
前記遊技媒体貸出用記憶媒体或いは前記会員用記憶媒体を受け付けている場合にそれぞれの受付中を示す状態通知を行う状態通知制御部により、両方の記憶媒体が受付けられていない状態通知を行っている場合に前記発行不可能状態が発生したものと判断し、前記外部の機器に所定の信号を出力することを特徴とする請求項１２記載の遊技媒体貸出処理機。
【請求項１６】
前記所定の信号の出力タイミングは、
前記発行不可能状態が所定時間続いた場合に行うことを特徴とする請求項１４または１５記載の遊技媒体貸出処理機。
【発明の詳細な説明】
【技術分野】
【０００１】
本発明は、遊技システムに関し、特に、遊技媒体を貸し出す際に用いられる遊技媒体貸出用記憶媒体（例えば、「プリペイドカード」など）が遊技媒体貸出処理機（例えば、「台間機」とも言う。）に装填されていないことを他の事由と区別して確実に遊技店（パチンコ店など）の従業員に知らせることができ、それにより従業員による遊技媒体貸出用記憶媒体の補充作業を効率良く行え、遊技店側および遊技客双方にとって使い勝手の良いシステムを提供することが可能な遊技媒体貸出処理機および遊技媒体貸出用記憶媒体の発行不可状態通知方法に関するものである。
【背景技術】
【０００２】
従来、パチンコ店等の遊技店においては、遊技媒体貸出機能に加えてカードを発行して販売する機能をもたせた遊技媒体貸出装置（以下、台間機という。）（特許文献１参照）を導入した遊技場システムが知られている。
【０００３】
即ち、この遊技場システムでは、台間機は、パチンコ台に１対１で対応して設置される。そして、台間機自体がカード発行機能を有し、台間機の貨幣受付口に貨幣が投入されると、予め内部に収納されているカードに投入された貨幣の価値を関連付けてカード出入口からカードを発行する。
【０００４】
そして、遊技客は、その発行されたカードを台間機のカード出入口に挿入し、パチンコ機の貸出要求スイッチを押下することで、パチンコ機内部の玉投出機構から貸玉が投出され、遊技を行うことができる。
【０００５】
ところで、その従来の台間機においては、通常１〜２枚のカードしか機器内に収納保持できないため、例えば、遊技客が台間機でカードを購入して遊技を行い、残高価値が残っているカードの返却を行なって他の台へと台移動を行ってしまうと、台間機の保持するカードが直ぐ無くなってしまう。
【０００６】
そして、そのような台間機にカードが無い状態では、カードの発行が行えず、遊技客が紙幣を挿入しても返却される。
【０００７】
また、従来、そのような台間機にカードが無い状態では、台間機の遊技客側の本体前面に配置されるＬＥＤが点灯される。
【０００８】
そして、遊技店の店員がカードを台間機に補充することにより、カード発行ができる状態となる。
【特許文献１】特開２００２−１８１１０号公報
【発明の開示】
【発明が解決しようとする課題】
【０００９】
ところで、従来では、カードを購入できない遊技客が、例えば、パチンコ台の上方部に設置される呼出ボタン等を押下すると、同じくパチンコ台の上方部に設置される呼出ランプが点灯され、それに気付いた店員が遊技客の所に駆け付け、台間機のＬＥＤを見て状況を確認し、カード補充処理等の対応をすることになるが、従来のＬＥＤの点灯通知では、近付いてよく見なければ状況がわからず、対応が遅れがちになる虞がある。
【００１０】
また、従来では、遊技客が呼出ボタン等を押下した呼出ランプの点灯は、全て共通であり、遊技店側からすると、玉詰まり等の他の緊急度の高い呼出と、上述のようなカード無しによる比較的緊急度の低い呼出との区別が付かないのは営業内容面から考えると不便なものである。
【００１１】
また、上述のようなカード発行機能を有する台間機を具えたカードシステムに慣れていない遊技客にとっては、カードを購入できない理由が分からず、台を移動したり、気分を害して帰ってしまう虞がある。また、その為、遊技店側としても、売上の低下、ホールの評判が下がるという不都合がある。
【００１２】
そこで、本発明は上記実状に鑑み、遊技媒体を貸し出す際に発行される遊技媒体貸出用記憶媒体が遊技媒体貸出処理機に装填されていないことを他の事由とは区別して確実に遊技店の従業員に知らせることができ、それにより従業員による遊技媒体貸出用記憶媒体の補充作業を効率良く行わせ、遊技店側および遊技客双方にとって使い勝手の良いシステムを提供することが可能な遊技媒体貸出処理機および遊技媒体貸出用記憶媒体の発行不可状態通知方法の提供を目的とするものである。
【課題を解決するための手段】
【００１３】
上記目的を達成するため、請求項１の発明は、貨幣を受け入れ、遊技機で使用する遊技媒体を貸し出す為の有価価値を関連付けた遊技媒体貸出用記憶媒体を発行する機能と、前記遊技媒体貸出用記憶媒体を受け付け、該受け付けた遊技媒体貸出用記憶媒体に関連付けられた有価価値に基づき前記遊技媒体の貸し出し処理を行う機能を有し、前記有価価値が関連付けられていない発行用の遊技媒体貸出用記憶媒体が予め機器内に装填される遊技媒体貸出処理機における遊技媒体貸出用記憶媒体の発行不可状態通知方法において、前記遊技媒体貸出用記憶媒体が機器内に装填されておらず、該遊技媒体貸出用記憶媒体の発行ができない発行不可能状態を検知した場合、該発行不可能状態が発生したことを遊技店の従業員に通知する為に前記遊技媒体貸出処理機から外部の機器に所定の信号を出力するようにしたことを特徴とする。
【００１４】
また、請求項２の発明は、請求項１の発明において、前記所定の信号は、遊技媒体貸出処理機を特定可能な識別情報と共に、前記遊技店内に設置される処理端末に対して出力され、前記処理端末は、前記所定の信号を受信すると、前記識別情報に基づき所定の遊技媒体貸出処理機で遊技媒体貸出用記憶媒体の発行ができない状態が発生したことを遊技店の従業員に通知する通知処理を行うことを特徴とする。
【００１５】
また、請求項３の発明は、請求項２の発明において、前記通知処理は、所定の遊技媒体貸出処理機で遊技媒体貸出用記憶媒体の発行ができない状態が発生したことを表示部に表示する処理であることを特徴とする。
【００１６】
また、請求項４の発明は、請求項２の発明において、前記通知処理は、所定の遊技媒体貸出処理機で遊技媒体貸出用記憶媒体の発行ができない状態が発生したことを自動的に音声にて遊技店の従業員に通知する店内放送処理であることを特徴とする。
【００１７】
また、請求項５の発明は、請求項２の発明において、前記通知処理は、所定の遊技媒体貸出処理機で遊技媒体貸出用記憶媒体の発行ができない状態が発生したことを自動的に音声にて遊技店の従業員が装着しているヘッドホンに通知する無線通知処理であることを特徴とする。
【００１８】
また、請求項６の発明は、請求項１の発明において、前記所定の信号は、前記遊技機が複数設置される遊技島の島端或いは島端付近に設置される状態通知手段に対して出力され、前記状態通知手段は、前記所定の信号を受信すると、前記遊技媒体貸出処理機で遊技媒体貸出用記憶媒体の発行ができない状態が発生したことを通知する通知パターンで通知を行うことを特徴とする。
【００１９】
また、請求項７の発明は、請求項１の発明において、前記所定の信号は、前記遊技機の上方部に設置される状態通知手段に対して出力され、前記状態通知手段は、前記所定の信号を受信すると、前記遊技媒体貸出処理機で遊技媒体貸出用記憶媒体の発行ができない状態が発生したことを通知する通知パターンで通知を行うことを特徴とする。
【００２０】
また、請求項８の発明は、請求項１の発明において、前記所定の信号は、前記遊技機が複数設置される遊技島の島端或いは島端付近に設置される島状態通知手段に対して出力されると共に、前記遊技機の上方部に設置される遊技機状態通知手段に対しても出力され、前記島状態通知手段が、前記所定の信号を受信すると、自島の前記遊技媒体貸出処理機で遊技媒体貸出用記憶媒体の発行ができない状態が発生したことを通知する通知パターンで通知を行い、前記遊技機状態通知手段が、前記所定の信号を受信すると、自己に関連付けられた遊技機に対応する前記遊技媒体貸出処理機で遊技媒体貸出用記憶媒体の発行ができない状態が発生したことを通知する通知パターンで通知を行うことを特徴とする。
【００２１】
また、請求項９の発明は、請求項１の発明において、前記遊技媒体貸出処理機は、前記遊技店内で使用される会員用記憶媒体に関連付けられた遊技媒体貯蓄情報に基づき前記遊技媒体の貸し出し処理を行う再プレイ機能を更に有し、前記遊技媒体貸出用記憶媒体或いは前記会員用記憶媒体に記憶された情報を処理する記憶媒体処理手段が、前記遊技媒体貸出用記憶媒体及び前記会員用記憶媒体のいずれも機器内に装填されておらず、該遊技媒体貸出用記憶媒体の発行ができない発行不可能状態を検知した場合に、前記外部の機器に所定の信号を出力することを特徴とする。
【００２２】
また、請求項１０の発明は、請求項１の発明において、前記遊技媒体貸出処理機は、前記遊技店内で使用される会員用記憶媒体に関連付けられた遊技媒体貯蓄情報に基づき前記遊技媒体の貸し出し処理を行う再プレイ機能を更に有し、前記遊技媒体貸出用記憶媒体或いは前記会員用記憶媒体を受け付けている場合にそれぞれの受付中を示す状態通知を行う状態通知制御部より、両方の記憶媒体が受付けられていない状態通知を行っている場合に前記発行不可能状態が発生したものと判断し、前記外部の機器に所定の信号を出力することを特徴とする。
【００２３】
また、請求項１１の発明は、請求項９または１０の発明において、前記所定の信号の出力タイミングは、前記発行不可能状態が所定時間続いた場合に行うことを特徴とする。
【００２４】
また、請求項１２の発明は、貨幣を受け入れ、遊技機で使用する遊技媒体を貸し出す為の有価価値を関連付けた遊技媒体貸出用記憶媒体を発行する機能と、前記遊技媒体貸出用記憶媒体を受け付け、該受け付けた遊技媒体貸出用記憶媒体に関連付けられた有価価値に基づき前記遊技媒体の貸し出し処理を行う機能を有し、前記有価価値が関連付けられていない発行用の遊技媒体貸出用記憶媒体が予め機器内に装填される遊技媒体貸出処理機において、前記遊技媒体貸出用記憶媒体が機器内に装填されておらず、該遊技媒体貸出用記憶媒体の発行ができない発行不可能状態が発生したことを検知する検知手段と、前記検知手段により発行不可能状態が検知された場合、該発行不可能状態が発生したことを遊技店の従業員に通知する為に前記遊技媒体貸出処理機から外部の機器に所定の信号を出力する外部出力手段とを具備することを特徴とする。
【００２５】
また、請求項１３の発明は、請求項１２の発明において、前記外部出力手段は、前記所定の信号を当該発行不可能状態が発生した遊技媒体貸出処理機を特定可能な識別情報と共に、前記遊技店内に設置される処理端末に対して出力し、前記処理端末は、前記所定の信号を受信すると、前記識別情報に基づき所定の遊技媒体貸出処理機で遊技媒体貸出用記憶媒体の発行ができない状態が発生したことを遊技店の従業員に通知する通知処理を行うことを特徴とする請求項１２記載の遊技媒体貸出処理機。
【００２６】
また、請求項１４の発明は、請求項１２の発明において、前記遊技媒体貸出処理機は、前記遊技店内で使用される会員用記憶媒体に関連付けられた遊技媒体貯蓄情報に基づき前記遊技媒体の貸し出し処理を行う再プレイ機能を更に有し、前記遊技媒体貸出用記憶媒体或いは前記会員用記憶媒体に記憶された情報を処理する記憶媒体処理部が、該記憶媒体処理部が前記遊技媒体貸出用記憶媒体及び前記会員用記憶媒体のいずれも機器内に装填されておらず、該遊技媒体貸出用記憶媒体の発行ができない発行不可能状態を検知した場合に、前記外部の機器に所定の信号を出力することを特徴とする。
【００２７】
また、請求項１５の発明は、請求項１２の発明において、前記遊技媒体貸出処理機は、前記遊技店内で使用される会員用記憶媒体に関連付けられた遊技媒体貯蓄情報に基づき前記遊技媒体の貸し出し処理を行う再プレイ機能を更に有し、前記遊技媒体貸出用記憶媒体或いは前記会員用記憶媒体を受け付けている場合にそれぞれの受付中を示す状態通知を行う状態通知制御部により、両方の記憶媒体が受付けられていない状態通知を行っている場合に前記発行不可能状態が発生したものと判断し、前記外部の機器に所定の信号を出力することを特徴とする。
また、請求項１６の発明は、請求項１４または１５の発明において、前記所定の信号の出力タイミングは、前記発行不可能状態が所定時間続いた場合に行うことを特徴とする。
【発明の効果】
【００２８】
本発明によれば、遊技媒体を貸し出す際に用いられる一般カード（プリペイドカードともいう。）（遊技媒体貸出用記憶媒体）が台間機（遊技媒体貸出処理機）に装填されていない状態の発生を、自動的に遊技店の従業員に知らせることができる。また、上記状態の発生を他の事由（大当たり発生状態や呼出ボタンの押下発生状態など）とは区別して報知することもできる。これにより、従業員による一般カードの補充作業をすばやく行うことができ、また、遊技店側の営業効率を向上させることができ、また、カード発行機能を有する台間機を備えた遊技媒体貸出システムに慣れていない遊技客にとっても使い勝手の良いシステムを提供でき、遊技店側の売上向上に繋がるという効果を奏する。
【発明を実施するための最良の形態】
【００２９】
以下、本発明に係わる実施例を添付図面を参照して詳細に説明する。
【実施例１】
【００３０】
図１は、本発明を適用した遊技場システムの概略構成を示す図である。特に、この場合、ある一つの遊技島１００の概略構成を示している。
【００３１】
尚、この実施例では、遊技場としてパチンコ店やパチスロ店等の遊技場を例にしており、遊技機としてはパチンコ台を例にしている。
【００３２】
通常、遊技場は、複数の遊技島で構成され、各遊技島には複数台の台間機と複数台の遊技機とが交互に整列配置されている。
【００３３】
図１において、この遊技島１００は、５台の遊技機（パチンコ台）２とそれら各パチンコ台に１対１で対応付けて設置された５台の台間機１とが交互に整列配置されている。
【００３４】
また、各遊技機２毎に台状態（大当たり状態や呼出ボタンが押された状態など）を示す点灯制御を行う台ランプ部３が対応付けて設置されている。
【００３５】
また、この遊技島１００の島端には、この遊技島１００の遊技機２の状態（大当たり発生状態や呼出ボタン押下発生状態など）を示す点灯制御を行うパトライト４が設置されている。
【００３６】
そして、この実施例に示す各台間機１は、貨幣（例えば、１０００円札）を貨幣投入口１１から受け付けてその貨幣金額に相応する金額価値を内部に保持している一般カードＸ（プリペイドカードともいう。）に価値付けて発行するカード発行機能と、自機で発行した一般カードＸや他の台間機で発行された一般カードＸをカード出し入れ口１５から受け付けてその一般カードＸが有する金額価値の範囲内で遊技媒体（パチンコ玉）Ｚを１対１で対応付けて設置されている遊技機（パチンコ台）に貸し出す玉貸出機能とを有している。尚、この台間機１では、例えば、１枚の一般カードＸを内部に保持することが可能である。
【００３７】
また、この実施例では、各台間機１は、上記カード出し入れ口１５から遊技店内で使用される会員カードＹを受け付け、その会員カードＹに関連付けて記憶されている貯玉数情報に基づいて対応する遊技機１で遊技媒体Ｚを貸し出す再プレイ機能も有している。
【００３８】
また、各遊技機２は、対応する台間機１のカード出し入れ口１５から受け付けたカードの金額価値（残高情報とも言う）を表示する残高表示部２０１と、遊技客が遊技媒体Ｚの貸出を要求する場合に用いられる遊技媒体貸出ボタン２０２と、遊技客がカードの返却を要求する場合に用いられるカード返却ボタン２０３とを具えている。
【００３９】
尚、遊技店では、遊技客が席に座って即入金が可能な状態にしておく為に、台間機１のカードリーダ部に有価価値が関連付けられていない「０円」の一般カードＸを１枚入れておく。
【００４０】
そして、本発明では、台間機１で一般カードの発行が行えないカード発行不可能状態が発生した際、その該当する台間機から上述の台ランプ部３或いはパトライト４に上記カード発行不可能状態が発生したことを遊技店の従業員に通知する為に所定の信号が出力されると、それら台ランプ部３或いはパトライト４にて所定の点灯パターンによる点灯制御が行われる。即ち、他の事由（例えば、大当たり発生状態や呼出ボタン押下発生状態など）に基づく点灯パターンとは異なる点灯パターンが行われる。
【００４１】
次に、上記図１に示した台間機１の詳細な構成について説明する。
【００４２】
図２は、図１に示す台間機１の正面客側の概略外観構成を示す図であり、図３は、台間機１の内部の機能を示すブロック図である。
【００４３】
図２において、台間機１は、正面客側から見て、カード利用可能ランプ１０と、貨幣投入口１１と、貨幣投入可能ランプ１２と、カード挿入ランプ１３と、会員カードＹ用操作部１４と、カード出し入れ口１５とを具えている。尚、残高表示部２０１には、１００円を１度数とする数値（度数）が表示される（例えば、１００円分の金額価値があれば「１」、２５００円分の金額価値があれば「２５」と表示される）。
【００４４】
ここで、カード利用可能ランプ１０は、ランプの状態により機器状態を知らせるランプであり、点灯していればカードが使用できる状態を通知し、反対に、ランプが消えていればカードが使用できない状態を通知するランプである。
【００４５】
貨幣投入口１１は、貨幣を投入する投入口である。
【００４６】
貨幣投入可能ランプ１２は、貨幣投入可能／不可能状態を示すランプであり、点灯状態で貨幣が投入できる貨幣投入可能状態を通知し、反対に、消灯状態で貨幣が投入できない貨幣投入不可能状態を通知するランプである。
【００４７】
カード挿入ランプ１３は、一般カード用ランプ１３１と会員カード用ランプ１３２とを具え、一般カード用ランプ１３１が点灯状態で一般カードＸが挿入されている状態を通知し、消灯状態で一般カードＸが挿入されていない状態を通知するランプがあり、会員カード用ランプ１３２が点灯状態で会員カードＹが挿入されている状態を通知し、消灯状態で会員カードＹが挿入されていない状態を通知するランプがある。
【００４８】
会員カード用操作部１４は、暗証番号等を入力するテンキー１４１と、再プレイを要求する再プレイボタン１４２とを具えている。
【００４９】
カード出し入れ口１５は、遊技媒体Ｚを貸し出すのに用いられる一般カードＸ及び会員カードＹの出し入れを行うカード出し入れ口である。
【００５０】
また、図３において、この台間機１は、制御部１０１と、貨幣処理部１０２と、カード処理部１０３と、作業メモリ部１０４と、ランプ点灯処理部１０５と、操作処理部１０６と、外部出力部１０７と、通信インタフェース部１０８とを具えて構成される。
【００５１】
ここで、制御部１０１は、この台間機１全体を統括的に制御する制御部であり、他の構成要素部からのデータを取得して遊技媒体Ｚの貸出処理を制御する。
【００５２】
貨幣処理部１０２は、遊技客によって貨幣投入口１１から投入された貨幣（例えば、１０００円札）を内部に取り込み、その取り込んだ紙幣の金額種別を識別する。
【００５３】
カード処理部１０３は、カードリーダ／ライタや、カードの有無検知センサや、カード収納部等を具える。そして、遊技客によって貨幣投入口１１から貨幣が投入された場合に、カード収納部に収納している一般カードＸにカードリーダ／ライタのライト機能を用いて貨幣価値（金額情報）を記憶してからカード出し入れ口１５から一般カードＸを発行する。また、遊技客によってカード出し入れ口１５に投入された一般カードＸや会員カードＹのカード情報をカードリーダ／ライタのリード機能を用いて読取ると共に、遊技媒体Ｚの貸出に伴いカードの金額情報の更新書込みをカードリーダ／ライタのライト機能を用いて行う。また、カードの有無検知センサを用いて、一般カードや会員カードが一定時間以上装填されていない状態を検知すると、その旨を後述の外部出力部１０７に通知する。
【００５４】
作業メモリ部１０４は、制御部１０１の制御の下、各種計算処理に用いるデータを一時的に記憶するメモリ部である。
【００５５】
ランプ点灯処理部１０５は、カード利用可能ランプ１０や、貨幣投入可能ランプ１２や、カード種類ランプ（一般用カード用ランプ１３１及び会員カード用ランプ１３２を含む）１３の各ランプの点灯を制御する。
【００５６】
操作処理部１０６は、会員カードＹ用操作部１４（テンキー１４１及び再プレイボタン１４２を含む）の操作信号の入力処理を行う。
【００５７】
外部出力部１０７は、カード処理部１０３からの通知により一般カードＸが台間機［カード処理部１０３のカード収納部］に１枚も装填されておらず、一般カードＸの発行ができない状態（即ち、貨幣の投入が行えない状態）が一定時間以上継続して発生した場合に、該状態が発生したことを遊技店の従業員に通知する為に外部の機器［台ランプ部３及びパトライト４（図１参照）の少なくとも一つ］に所定の信号を出力する。即ち、この外部出力部１０７から図１に示したランプ部３或いはパトライト４に所定の信号が出力されることで、それら台ランプ部３或いはパトライト４において台間機１でカードの発行が行えない状態が発生したことを遊技店の従業員に通知する為の所定の点灯パターンによる点灯制御が行われる。尚、この点灯パターンは、他の事由（例えば、大当たり発生状態や呼出ボタン押下発生状態など）に基づく点灯パターンとは異なるものとする。また、この外部出力部１０７から台ランプ部３及びパトライト４の両方に所定の信号を出力するようにすれば、パトライト４でその島の台間機において一般カードＸの発行ができないカード発行不可能状態が発生したことを遊技店の従業員に通知し、台ランプ３でカード発行不可能状態が発生した台間機を遊技店の従業員に通知することができる。
【００５８】
通常は、外部出力部１０７が所定の信号を出力するのは、直前に遊技を行っていた遊技客が一般用カードＸを取り出して席を離れてから一定時間が経過した後であり、次の遊技客が席に着いているか否かは関係ない。従って、次の遊技客が席に着く前に台ランプ部等の点灯によって従業員がカード発行不可能状態に気付き、一般カードＸを補充できることが可能となる。また、次の遊技客がすぐに席に着いた場合であっても、当該遊技客が呼び出しボタン等を操作しなくても、台ランプ部等の点灯によって従業員がカード発行不可能状態に気付き、一般カードＸを補充することができる。
【００５９】
通信インタフェース部１０８は、上位装置［ターミナルコントローラ（Ｔ／Ｃ）や管理コンピュータ］と各種データを送受信する通信処理を行う。
【００６０】
尚、この台間機１では、対応して設置される遊技機からの玉貸出要求に応じてその遊技機の玉投出機構に対し投出指示を出すタイプを示しているが、これ以外にも、台間機が玉投出機構を有し、ノズル等を介して遊技機に遊技媒体Ｚを投出するタイプであっても良い。
【００６１】
また、上記実施例では、台間機１でカードの発行が行えない状態が発生したことを遊技店の従業員に通知する機器として、台ランプ部３及びパトライト４を示したが、これ以外にも情報を表示する表示器等を用いるようにしても良い。その場合、表示器において、上記外部出力部１０７から所定の信号を受信した場合に「○○番台カード無し」のような文字情報を表示するようにする。
【００６２】
このような構成によると、遊技媒体Ｚを貸し出す際に用いられる一般カード（プリペイドカードともいう。）（遊技媒体貸出用記憶媒体）が台間機（遊技媒体貸出処理機）に装填されていないことを他の事由（大当たり発生状態や呼出ボタンの押下発生状態など）とは区別して確実に遊技店の従業員に知らせることができる。これにより、従業員による一般カードの補充作業をすばやく行うことができ（具体的には、従業員が持つ、価値が関連付けられていない一般カードＸをカードを出し入れ口１５へ挿入する。）、また、遊技店側の営業効率を向上させることができ、また、カード発行機能を有する台間機を備えた遊技媒体貸出システムに慣れていない遊技客にとっても使い勝手の良いシステムを提供でき、遊技店側の売上向上に繋がるという効果を奏する。
【００６３】
また、上記実施例では、外部出力部１０７が、一般カードＸが台間機［カード処理部１０３のカード収納部］に１枚も装填されておらず、一般カードＸの発行ができない状態（即ち、貨幣の投入が行えない状態）が一定時間以上継続して発生した場合に、該状態が発生したことを遊技店の従業員に通知する為に台間機から外部の機器［台ランプ部３及びパトライト４（図１参照）］に所定の信号を出力する形態を採っているが、これ以外の方法について図４を用いて説明する。
【００６４】
図４に示すように、台間機１の外部出力部１０７（図３参照）が、一般カードＸが台間機［カード処理部１０３のカード収納部］に１枚も装填されておらず、一般カードＸの発行ができない状態（即ち、貨幣の投入が行えない状態）が一定時間以上継続して発生した場合に、該状態が発生したことを遊技店の従業員に通知する為に外部の上位装置５［（遊技場のシステム全体の稼動状態や各種情報を管理するターミナルコントローラ（Ｔ／Ｃ）］等に所定の信号を出力するようにする。尚、その場合、所定の信号に台間機１を特定可能な識別情報（台番号情報など）を付加して出力する。また、上位装置５は、例えば、遊技店の事務所等に設置される。
【００６５】
そして、その所定の信号を受取った上位装置５では、以下の（１）〜（３）の少なくとも一つを実行するようにする。
【００６６】
（１）上位装置５に具わる表示部５１に事務所の従業員に、ある台間機において、一般カードＸが台間機［カード処理部１０３のカード収納部］に１枚も装填されておらず、一般カードＸの発行ができない状態（即ち、貨幣の投入が行えない状態）が一定時間以上継続して発生したことを通知する為の情報を表示処理する。例えば、「○○番台、カード無し」等を表示処理する。尚、これを見た事務所等の従業員が店内放送等で遊技場にいる従業員に業務連絡で通知する。
【００６７】
（２）上位装置５に接続されるスピーカ５２等を用いて、事務所の従業員に、ある台間機において、一般カードＸが台間機［カード処理部１０３のカード収納部］に１枚も装填されておらず、一般カードＸの発行ができない状態（即ち、貨幣の投入が行えない状態）が一定時間以上継続して発生したことを通知する為の店内放送を実行処理する。例えば、音声にて「業務連絡、○○番台、カードが無いので補給して下さい。」等を発声処理する。
【００６８】
（３）上位装置５に接続される通信無線機５３等を用いて、遊技場の従業員が装着しているインカム（ヘッドフォンなど）６に音声にて、ある台間機において、一般カードＸが台間機［カード処理部１０３のカード収納部］に１枚も装填されておらず、一般カードＸの発行ができない状態（即ち、貨幣の投入が行えない状態）が一定時間以上継続して発生したことを通知する為の無線通信処理を行う。例えば、音声にて「○○番台、カード無し」等を音声にて通知処理する。
【００６９】
このような構成によっても、遊技媒体Ｚを貸し出す際に用いられる一般カード（プリペイドカードともいう。）（遊技媒体貸出用記憶媒体）が台間機（遊技媒体貸出処理機）に装填されていないことを他の事由（大当たり発生状態や呼出ボタンの押下発生状態など）とは区別して確実に遊技店の従業員に知らせることができる。これにより、従業員による一般カードの補充作業をすばやく行うことができ、また、遊技店側の営業効率を向上させることができ、また、カード発行機能を有する台間機を備えた遊技媒体貸出システムに慣れていない遊技客にとっても使い勝手の良いシステムを提供でき、遊技店側の売上向上に繋がるという効果を奏する。
【００７０】
また、上記図３及び図４の説明では、外部出力部１０７が所定の信号を外部に出力する条件として、カード処理部１０３において、一般カードＸ或いは会員カードＹのいずれも一定時間以上継続して装填されていない状態を検知した場合を条件としているが、これ以外の方法について図５を用いて説明する。
【００７１】
図５に示すように、カード挿入ランプ１３の点灯状態から所定の信号を外部に出力するようにしても良い。即ち、ランプ点灯処理部１０５から一般カード用ランプ１３１の信号と会員カード用ランプ１３２の信号の両方が“Ｈ”（ランプＯＦＦレベル）の状態で一定時間以上継続してＣＰＵ（制御部１０１）に入力されるとＣＰＵが外部出力部１０６のリレー回路をＯＮにする。これにより、外部出力部１０７が所定の信号を外部に出力する。
【００７２】
ところで、上記実施例に示したシステムでは、遊技客が一般カードを使用して遊技を行い、その一般カードの有価価値が「０円」になった場合、自動的に一般カードを返却処理することなく、カード処理部内に保持するものである。
【００７３】
また、このシステムでは、図示しない一般カード発行機で一般カードを購入した遊技客や、ある台間機で発行され、有価価値が関連付けられている一般カードを所持した遊技客は、通常、遊技しようとする所望の遊技機に対応付けられている台間機に有価価値が「０円」の一般カードが装填されている場合、カード返却ボタンを押下して、その「０円」の一般カードを抜き取り別の場所などに移してから自己の所持する有価価値の関連付けられた一般カードを台間機に挿入して遊技を行う。
【００７４】
また、このシステムでは、会員カードを持っている遊技客は、カード返却ボタンを押下して、台間機に装填されている有価価値が「０円」の一般カードを抜き取り別の場所などに移してから自己の所持する会員カードを挿入して遊技を行う。
【００７５】
この為、上述したように、一般カードと会員カードの両方を取り扱う台間機においては、一般カードと会員カードのいずれもが台間機内に装填さていない状態が所定時間以上継続して発生した場合に、外部出力部１０７から一般カードＸの発行ができない状態（即ち、貨幣の投入が行えない状態）が一定時間以上継続して発生したことを遊技店の従業員に通知する為に外部の機器に所定の信号を出力することで、一般の遊技客や会員の遊技客が一般カードを出し入れする場合の無駄な通知（特に遊技客が遊技できない状態ではない場合の通知）を行わなくて済むと共に、また、会員の遊技客が会員カードを用いて遊技を行っている場合の無駄な通知（特に遊技客が遊技できない状態ではない場合の通知）を行わなくても済む。
【００７６】
尚、上記実施例では、台間機として、一般カード以外に、会員カードを受付け、貯玉情報に基づき再プレイ機能を有する台間機を例に示したが、本発明はこれに限定されず、一般カードのみ受付け、再プレイ機能は有さない台間機に適用しても良いものとする。尚、その場合には、会員カードは関係無いので、一般カードが一定時間以上台間機内に装填されていない状態が発生したことを検知した場合に、外部出力部から外部の機器に対して上述した所定の信号を出力するようにする。
【００７７】
また、上記実施例では、遊技機２としてパチンコ台を例にして、それに合わせて台間機１を玉貸出処理機とした場合を例に示したが、これ以外に、遊技機２をメダルスロット台にして、台間機１をメダル貸出処理機にしても良いものとする。
【００７８】
また、上記実施例では特に述べていないが、挿入された貨幣（紙幣など）は、台間機１内に貯留されるタイプを想定しているが、これ以外に、遊技島内の搬送機構によって貨幣を遊技島端等へ搬送させるタイプを適用しても良いものとする。
【００７９】
また、上述した一般カードＸとしては、磁気カードやＩＣカード等の遊技媒体貸出用記憶媒体を用いる。また、有価価値を価値付けできれば良いので形状は問わず、カード状以外の形状で有っても良いものとする。
【００８０】
また、上記実施例では、一般カードＸ自体に価値情報を記録していたが、一般カードＸに識別符号（カードＩＤ）を記録し、当該識別符号と価値情報を上位のカード管理装置によって管理するタイプに適用しても良いものとする。
【００８１】
また、一つのカードリーダ／ライタで一般カードＸと会員カードＹの両方に対応する場合には、両方のカードでカード仕様が同じものを採用する。
【図面の簡単な説明】
【００８２】
【図１】本発明を適用した遊技場システムの概略構成を示す図である。
【図２】図１に示す台間機の正面客側の概略外観構成を示す図である。
【図３】台間機の内部の機能を示すブロック図である。
【図４】図３に示した外部出力部の所定信号の他の出力形態を示す図。
【図５】図３に示した外部出力部の所定信号を外部に出力する条件の変形例を示す図である。
【符号の説明】
【００８３】
１００…遊技島
１…台間処理機
２…遊技機
３…台ランプ部
４…パトライト
Ｘ…一般カード
Ｙ…会員カード
Ｚ…遊技媒体
１０…カード利用可能ランプ
１１…貨幣投入口
１２…貨幣投入可能ランプ
１３…カード挿入ランプ
１４…会員カードＹ用操作部
１５…カード出し入れ口
１３１…一般カード用ランプ
１３２…会員カード用ランプ
１４１…テンキー
１４２…再プレイボタン
２０１…残高表示部
２０２…遊技媒体貸出ボタン
２０３…カード返却ボタン
１０１…制御部
１０２…貨幣処理部
１０３…カード処理部
１０４…作業メモリ部
１０５…ランプ点灯処理部
１０６…操作入力処理部
１０７…外部出力部
１０８…通信インタフェース部
【図１】
2005065788.tif 000003
【図２】
2005065788.tif 000004
【図３】
2005065788.tif 000005
【図４】
2005065788.tif 000006
【図５】
2005065788.tif 000007